【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
ユーザグループのメンバに対する推奨アイテムを生成する装置によって実行される方法であって、
前記ユーザグループのメンバを登録するステップと、
前記ユーザグループのサブグループを識別するステップであって、前記サブグループは前記装置に推奨アイテムを要求する、ステップと、
前記サブグループに対する推奨アイテムを決定するステップであって、前記推奨アイテムは、前記装置のプロセッサにおいて利用される対数リグレット特性を有する多腕バンディットアルゴリズムを使用して決定される、ステップと、
前記推奨アイテムを前記ユーザグループのメンバの前記サブグループに提供するステップと、
を含む、前記方法。
【請求項２】
前記推奨アイテムを決定するステップは、時間ｔにおける重みベクトルを使用するステップをさらに含み、前記重みベクトルは時間ｔにおける個々のサブグループメンバの重みを表す、請求項１に記載の方法。
【請求項３】
前記推奨アイテムを決定するステップは、前記個々のサブグループメンバによって受け取られた、過去の重みベクトル、過去のジャンル、および過去のレーティングを使用するステップをさらに含む、請求項２に記載の方法。
【請求項４】
前記推奨アイテムを決定するステップは、カテゴリのセットからカテゴリを選択するステップと、前記選択されたカテゴリ内で推奨アイテムを選択するステップを含む、請求項１に記載の方法。
【請求項５】
さらに、前記カテゴリは映画ジャンルまたはダイニング料理である、請求項４に記載の方法。
【請求項６】
前記サブグループによって前記推奨アイテムを受諾または拒否するステップと、
前記選択された推奨アイテムを評価およびレーティングするステップと、
をさらに含む、請求項４に記載の方法。
【請求項７】
前記選択された推奨アイテムを評価およびレーティングするステップは、前記選択された推奨アイテムのレーティングを前記サブグループのメンバによって個別に提供するステップを含む、請求項６に記載の方法。
【請求項８】
ユーザグループに推奨アイテムを提供するための装置であって、
１または複数のユーザデバイスと通信するためのインタフェースと、
推奨アイテムを決定し、前記ユーザグループのサブグループに提案するためのプログラムを実行するプロセッサと、
前記プログラムを記憶するための前記プロセッサによって利用可能なメモリであって、前記プログラムは、前記プロセッサによって実行されたとき、対数リグレット特性を有する多腕バンディットアルゴリズムを利用して前記推奨アイテムを決定する、メモリと、
を備える、前記装置。
【請求項９】
前記プロセッサは、最初にカテゴリのセットからカテゴリを選択し、次いで前記選択されたカテゴリ内で推奨アイテムを選択することによって、前記推奨アイテムを決定する、請求項８に記載の装置。
【請求項１０】
前記プロセッサは、時間ｔにおける重みベクトルを使用して前記推奨アイテムを決定し、前記重みベクトルは時間ｔにおける個々のサブグループメンバの重みを表す、請求項８に記載の装置。
【請求項１１】
１または複数のユーザデバイスと通信するための前記インタフェースは、前記１または複数のユーザデバイスに取り付けられたネットワークインタフェースを含み、前記インタフェースは前記推奨アイテムを前記装置のユーザに送達するのに使用可能である、請求項８に記載の装置。
【請求項１２】
１または複数のユーザデバイスと通信するための前記インタフェースは、前記推奨アイテムに関するレーティング情報を前記１または複数のユーザデバイスから前記装置に転送するように機能する、請求項１１に記載の装置。
【請求項１３】
前記プロセッサは、前記サブグループの各メンバに割り当てられた異なる重みを適用して、前記多腕バンディットアルゴリズムを使用して前記サブグループの各メンバから前記レーティング情報を別々に収集して処理する、請求項１２に記載の装置。
【請求項１４】
前記装置は、テレビジョン、モデム、ルータ、セットトップボックス、のうちの１つを含む、請求項８に記載の装置。
【手続補正２】
【補正対象書類名】明細書
【補正対象項目名】００５６
【補正方法】変更
【補正の内容】
【００５６】
図５中のユーザデバイスおよび図６中のサーバータイプ装置の実装について具体的なアーキテクチャを示しているが、構成要素の機能の分散、構成要素の統合、および内部バスの使用または不使用など、実装オプションが存在することは、当業者なら認識するであろう。このようなオプションも、図示および記述した構成の機能および構造と等価である。
＜付記１＞
ユーザグループのメンバに対する推奨アイテムを生成する装置によって実施される方法であって、
前記ユーザグループのメンバを登録することと、
前記ユーザグループのサブグループを識別することであって、前記サブグループは前記装置に推奨アイテムを要求することと、
前記サブグループに対する推奨アイテムを決定することであって、前記推奨アイテムは、対数リグレット特性を有する多腕バンディットアルゴリズムを使用して決定されることと、
前記推奨アイテムを前記ユーザグループのメンバの前記サブグループに提供するステップと、
を含む、前記方法。
＜付記２＞
前記推奨アイテムを決定することは、時間ｔにおける重みベクトルを使用することをさらに含み、前記重みベクトルは時間ｔにおける個々のサブグループメンバの重みを表す、付記１に記載の方法。
＜付記３＞
前記推奨アイテムを決定することは、前記個々のサブグループメンバによって受け取られた、過去の重みベクトル、過去のジャンル、および過去のレーティングを使用することをさらに含む、付記２に記載の方法。
＜付記４＞
前記推奨アイテムを決定することは、カテゴリのセットからカテゴリを選択し選択された前記カテゴリ内で推奨アイテムを選択するステップを含む、付記１に記載の方法。
＜付記５＞
さらに、前記カテゴリは映画ジャンルまたは食事料理である、付記４に記載の方法。
＜付記６＞
前記サブグループによって前記推奨アイテムを受諾または拒否するステップと、
選択された前記推奨アイテムを評価およびレーティングするステップと、
をさらに含む、付記１に記載の方法。
＜付記７＞
前記選択されたアイテムをレーティングするステップは、選択された前記推奨アイテムのレーティングを前記サブグループのメンバによって個別に提供することを含む、付記６に記載の方法。
＜付記８＞
ユーザグループに推奨アイテムを提供するための装置であって、
１または複数のユーザデバイスと通信するためのインタフェースと、
推奨アイテムを決定し、前記ユーザグループのサブグループに提案するためのプログラムを実行するプロセッサと、
前記プログラムを記憶するための前記プロセッサによって利用可能なメモリであって、前記プログラムは、前記プロセッサによって実行されたとき、対数リグレット特性を有する多腕バンディットアルゴリズムを利用して前記推奨アイテムを決定する、メモリと、を備える、前記装置。
＜付記９＞
前記プロセッサは、最初にカテゴリのセットからカテゴリを選択し、次いで前記選択されたカテゴリ内で推奨アイテムを選択することによって、前記推奨アイテムを決定する、付記８に記載の装置。
＜付記１０＞
前記プロセッサは、時間ｔにおける重みベクトルを使用して前記推奨アイテムを決定し、前記重みベクトルは時間ｔにおける個々のサブグループメンバの重みを表す、付記８に記載の装置。
＜付記１１＞
１または複数のユーザデバイスと通信するための前記インタフェースは、前記１または複数のユーザデバイスに取り付けられたネットワークインタフェースを含み、前記インタフェースは前記推奨アイテムを前記装置のユーザに送達するのに有用である、付記８に記載の装置。
＜付記１２＞
１または複数のユーザデバイスと通信するための前記インタフェースは、前記推奨アイテムに関するレーティング情報を前記１または複数のユーザデバイスから前記装置に転送するように機能する、付記１１に記載の装置。
＜付記１３＞
前記プロセッサは、前記サブグループの各メンバに割り当てられた異なる重みを適用して、前記多腕バンディットアルゴリズムを使用して前記サブグループの各メンバから前記レーティング情報を別々に収集して処理する、付記１２に記載の装置。
＜付記１４＞
前記装置は、テレビジョン、モデム、ルータ、セットトップボックス、のうちの１つを含む、付記８に記載の装置。